(57)【要約】【課題】果菜等を栽培する複数の栽培ベンチ１０を循環させる閉ループ状の移動栽培装置１において、日照不足による果実の肥大速度低下や着色遅れの問題を回避する。【解決手段】搬送方向を互いに逆向きにして平行状に並ぶ一対の搬送コンベヤ４０Ａ，４０Ｂと、前記両搬送コンベヤ４０Ａ，４０Ｂ間をつなぐ一対の案内装置２０Ａ，２０Ｂとによって閉ループを形成する。閉ループ内で複数の栽培ベンチ１０を循環搬送させる。各案内装置２０Ａ，２０Ｂは、一方の搬送コンベヤ４０Ａ（４０Ｂ）から他方の搬送コンベヤ４０Ｂ（４０Ａ）に向けて傾斜するように、各案内装置２０Ａ，２０Ｂの長手方向一端側を支点にして昇降回動可能に構成する。各案内装置２０Ａ，２０Ｂの長手方向他端側を昇降動させる昇降機構５７を更に備える。【選択図】図１１
2015084681.tif 000002
【特許請求の範囲】
【請求項１】
搬送方向を互いに逆向きにして平行状に並ぶ一対の搬送コンベヤと、前記両搬送コンベヤ間をつなぐ一対の案内装置とによって閉ループを形成し、前記閉ループ内で複数の栽培ベンチを循環搬送させる移動栽培装置において、
前記各案内装置は、一方の搬送コンベヤから他方の搬送コンベヤに向けて傾斜するように、前記各案内装置の長手方向一端側を支点にして昇降回動可能に構成し、
前記各案内装置の長手方向他端側を昇降動させる昇降機構を更に備えている、
移動栽培装置。
【請求項２】
前記各案内装置の長手方向一端側には、前記各案内装置を傾斜させた状態で前記栽培ベンチの移動を規制するストッパー部材を設けている、
請求項１に記載の移動栽培装置。
【請求項３】
前記両案内装置が概ね南北に延びるように設置し、前記両案内装置の長手方向他端側を北側に位置させている、
請求項１又は２に記載の移動栽培装置。
【発明の詳細な説明】
【技術分野】
【０００１】
本願発明は、野菜や花卉を高密植状態で栽培できる移動栽培装置に関する。
【背景技術】
【０００２】
従来、複数の横長な栽培ベンチを用いて果菜等を栽培する技術はよく知られている。例えば特許文献１には、複数の栽培ベンチを循環搬送する閉ループ状の移動栽培装置が開示されている。特許文献１の移動栽培装置では、搬送方向を互いに逆向きにして平行状に並ぶ一対の搬送コンベヤと、両搬送コンベヤ間をつなぐ一対の案内装置とによって閉ループを形成している。そして、栽培ベンチ群を各案内装置の長手方向（以下、縦方向という）に移動させる櫛状ロッドと、櫛状ロッドを縦方向に移動させる移動用アクチュエータと、櫛状ロッドを回動させる回動用アクチュエータとを備えている。各櫛状ロッドの縦方向搬送と、各搬送コンベヤの横方向搬送とを連動させることによって、各栽培ベンチが閉ループ状に循環搬送される。
【先行技術文献】
【特許文献】
【０００３】
【特許文献１】特開２０１０−５７４４８号公報
【発明の概要】
【発明が解決しようとする課題】
【０００４】
ところで、特許文献１の移動栽培装置では、各栽培ベンチの長手一側部に複数の拡張用アームを設け、当該拡張用アーム群に上方からネットを被せ、栽培中の果実をネット側で生育させる。この場合、各栽培ベンチのネット側が南向きになるように、各案内装置上に栽培ベンチ群を配置することによって、日当たりの確保を図っている。しかし、特許文献１の移動栽培装置では、成長して株自体が大きくなると、生い茂った葉等の影響で果実の日当たりが悪くなり易い。このため、密植栽培可能な移動栽培装置であるにも拘らず、日照不足による果実の肥大速度低下や着色遅れを招来するという問題があった。
【課題を解決するための手段】
【０００５】
本願発明は、上記のような現状を検討して改善を図った移動栽培装置を提供することを技術的課題として成されたものである。
【０００６】
請求項１の発明は、搬送方向を互いに逆向きにして平行状に並ぶ一対の搬送コンベヤと、前記両搬送コンベヤ間をつなぐ一対の案内装置とによって閉ループを形成し、前記閉ループ内で複数の栽培ベンチを循環搬送させる移動栽培装置において、前記各案内装置は、一方の前記搬送コンベヤから他方の前記搬送コンベヤに向けて傾斜するように、前記各案内装置の長手方向一端側を支点にして昇降回動可能に構成し、前記各案内装置の長手方向他端側を昇降動させる昇降機構を更に備えているというものである。
【０００７】
請求項２の発明は、請求項１に記載の移動栽培装置において、前記各案内装置の長手方向一端側には、前記各案内装置を傾斜させた状態で前記他方の搬送コンベヤに向かう前記栽培ベンチの移動を規制するストッパー部材を設けているというものである。
【０００８】
請求項３の発明は、請求項１又は２に記載の移動栽培装置において、前記両案内装置が概ね南北に延びるように設置し、前記両案内装置の長手方向他端側を北側に位置させているというものである。
【発明の効果】
【０００９】
本願発明によると、搬送方向を互いに逆向きにして平行状に並ぶ一対の搬送コンベヤと、前記両搬送コンベヤ間をつなぐ一対の案内装置とによって閉ループを形成し、前記閉ループ内で複数の栽培ベンチを循環搬送させる移動栽培装置において、前記各案内装置は、一方の前記搬送コンベヤから他方の前記搬送コンベヤに向けて傾斜するように、前記各案内装置の長手方向一端側を支点にして昇降回動可能に構成し、前記各案内装置の長手方向他端側を昇降動させる昇降機構を更に備えているから、成長して株自体が大きくなり葉が生い茂ったとしても、日当たりを考慮して、前記昇降機構によって前記各案内装置の長手方向他端側を上昇させ、前記一方の搬送コンベヤから前記他方の搬送コンベヤに向けて前記各案内装置を傾斜させることが可能になる。このため、一日のうち数時間は栽培中の果実に対する良好な日当たりを確保して、日照不足による果実の肥大速度低下や着色遅れといった問題を抑制できる。
【００１０】
請求項２の発明によると、前記各案内装置の長手方向一端側には、前記各案内装置を傾斜させた状態で前記栽培ベンチの移動を規制するストッパー部材を設けているから、前記ストッパー部材の存在によって、前記各案内装置上に載置した前記栽培ベンチ群が前記各案内装置の傾斜のために勝手に移動するのを防止でき、前記各案内装置上に前記栽培ベンチ群を安定的に保持できる。
【００１１】
請求項３の発明によると、前記両案内装置が概ね南北に延びるように設置し、前記両案内装置の長手方向他端側を北側に位置させているから、北側に位置する前記各案内装置の長手方向他端側を前記昇降機構によって上昇させ、一日のうち数時間は移動栽培装置全体において栽培中の果実に対する良好な日当たりを最大限確保できる。従って、日照不足による果実の肥大速度低下や着色遅れといった問題をより確実に回避できる。
【図面の簡単な説明】
【００１２】
【図１】実施形態における移動栽培装置の概略平面図である。
【図２】一対の搬送コンベヤの平面図である。
【図３】短縮状態の押し出し装置を示す拡大平面図である。
【図４】伸長状態の押し出し装置を示す拡大平面図である。
【図５】栽培ベンチの斜視図である。
【図６】栽培ベンチの循環搬送態様を説明する平面図であり、押し出し装置による押し出し前の状態を示す図である。
【図７】栽培ベンチの循環搬送態様を説明する平面図であり、押し出し装置による押し出し途中の状態を示す図である。
【図８】栽培ベンチの循環搬送態様を説明する平面図であり、押し出し装置による押し出し終了の状態を示す図である。
【図９】栽培ベンチの循環搬送態様を説明する平面図であり、各搬送コンベヤの横方向搬送途中の状態を示す図である。
【図１０】案内装置の回動支点部と昇降機構とを示す拡大正面断面図である。
【図１１】案内装置の回動支点部と昇降機構とを示す拡大側面図である。
【図１２】ストッパー部材を示す拡大平面図である。
【発明を実施するための形態】
【００１３】
以下に、本願発明を具体化した実施形態を図面に基づいて説明する。
【００１４】
まず、図１〜図４を参照しながら、移動栽培装置１の概略構造について説明する。以下の説明において必要に応じて特定の方向や位置を示す用語（例えば「左右」「上下」等）を用いる場合は、図１において紙面に直交する方向を平面視とし、紙面上下方向を前後方向又は縦方向とし、紙面左右方向を左右方向又は横方向とする。これらの用語は説明の便宜のために用いたものであり、本願発明の技術的範囲を限定するものではない。
【００１５】
なお、実施形態では、縦方向及び横方向がいずれも水平面（地面）に対して平行（重力方向に対して垂直）であるが、本願発明はこれに限定されるものではなく、イチゴやホウレンソウといった果菜等の栽培に支障を来さない程度で、縦方向及び横方向が水平面に対して多少傾斜していても構わない。
【００１６】
図１及び図２に示すように、実施形態の移動栽培装置１は、イチゴやホウレンソウといった果菜等を栽培する複数の栽培ベンチ１０を循環搬送する閉ループ状のものである。この場合の移動栽培装置１は、搬送方向を互いに逆向きにして平行状に並ぶ一対の搬送コンベヤ４０Ａ，４０Ｂと、一方の搬送コンベヤ４０Ａ（４０Ｂ）の搬送下流側と他方の搬送コンベヤ４０Ｂ（４０Ａ）の搬送上流側とをつなぐ一対の案内装置２０Ａ（２０Ｂ）と、各栽培ベンチ１０を各案内装置２０Ａ，２０Ｂ上で摺動させる摺動体１３と、各搬送コンベヤ４０Ａ，４０Ｂの搬送下流側からこれに対峙する案内装置２０Ａ，２０Ｂに向けて栽培ベンチ１０を押し出し移動させる一対の押し出し装置２１Ａ，２１Ｂとを備えている。
【００１７】
まず始めに、図５を参照しながら、栽培ベンチ１０の詳細構造について説明する。栽培ベンチ１０は、上向き開口横長箱状の容器であるプランタ２と、プランタ２が収容される横長箱枠状のフレーム枠１１とを備えている。プランタ２は栽培用の土を収容するものであり、その底面には余分な水及び薬液を外部に排出する排出穴（図示省略）が形成されている。プランタ２上面の前後縁部には、フレーム枠１１を構成する左右横長のアッパーフレーム１２に係合する係止片部２ａが形成されていて、係止片部２ａがアッパーフレーム１２に引っ掛かり係合することによって、プランタ２が栽培ベンチ１０に支持されている。
【００１８】
フレーム枠１１の下面側には、栽培ベンチ１０を各案内装置２０Ａ，２０Ｂ上で摺動させる摺動体としての車輪１３が、二つ一組の計四組取り付けられている。計四組の車輪１３は、各案内装置２０Ａ，２０Ｂの案内レール３５（詳細は後述する）の配置幅に合わせた適宜間隔で、栽培ベンチ１０（フレーム枠１１）の横方向に並べて配置されている。なお、摺動体は各案内装置２０Ａ，２０Ｂ側に設けてもよい。また、摺動体は車輪１３に限らず、コロ、スライダ又はローラといった別の構造であってもよい。フレーム枠１１の上面側には、プランタ２下面の排出穴から排出された余分な水及び薬液を回収する受け樋１４が取り付けられている。各栽培ベンチ１０の受け樋１４に集められた水及び薬液は、案内装置２０Ａ，２０Ｂの長手方向（縦方向）に沿って延びる回収樋３０Ａ，３０Ｂ（図１参照）にてまとめられて回収される。
【００１９】
各栽培ベンチ１０における一方のアッパーフレーム１２には、各案内装置２０Ａ，２０Ｂの長手方向に延びる当接体としての一対の規制アーム１５が着脱可能に取り付けられている。実施形態の規制アーム１５は両方とも、手前側搬送コンベヤ４０Ａに向けて突出する平面視Ｌ字状に形成されている。両規制アーム１５が隣の栽培ベンチ１０に当接した状態では、隣り合う栽培ベンチ１０の間に各案内装置２０Ａ，２０Ｂの長手方向（縦方向）に沿って適宜間隔（実施形態では５００ｍｍ程度）が開くことになる。規制アーム１５を着脱可能に構成すると、隣り合う栽培ベンチ１０間の配置間隔を変更して、栽培ベンチ１０を増設したり削減したりでき、果菜等の種類や品種によって栽培ベンチ１０の増減を図れて便利である。当接体はアッパーフレーム１２に固定した規制アーム１５の構造に限定されるものではない。隣の栽培ベンチ１０に当接した状態で、隣り合う栽培ベンチ１０の間に各案内装置２０Ａ，２０Ｂの長手方向（縦方向）に沿って適宜間隔を開け得るように、各栽培ベンチ１０から突出した構造であればよい。
【００２０】
フレーム枠１１における両規制アーム１５の間には、両規制アーム１５と同じ向きに突出する複数の支持アーム１６が設けられている。詳細は図示していないが、両規制アーム１５の突出片部に形成された固定穴に線材を結び付け、当該線材の中途部を各支持アーム１６上面に形成された案内溝に上方から引っ掛け、これらの上に例えばネットを被せ付ける。当該ネットの部分は、両規制アーム１５、複数の支持アーム１６及び線材にて下方から支持され、栽培中の果菜等においてプランタ２の外まで伸長した部分を保護することになる。
【００２１】
なお、フレーム枠１１の下部中央側には、栽培ベンチ１０にて栽培される果菜等の各種情報を記憶する（読み書きする）ＩＣタグ１７が設けられている。当該ＩＣタグ１７の使用によって、果菜等のトレーサビリティを向上できる。
【００２２】
次に、図１〜図４を参照しながら、搬送コンベヤ４０Ａ，４０Ｂ及び案内装置２０Ａ，２０Ｂの詳細構造について説明する。一対の搬送コンベヤ４０Ａ，４０Ｂと一対の案内装置２０Ａ，２０Ｂとは、複数の栽培ベンチ１０を循環搬送するために閉ループ状に構成されている。
【００２３】
一対の搬送コンベヤ４０Ａ，４０Ｂは、前後方向（縦方向）に間隔を開けた状態で平行状に並べられていて、それぞれ栽培ベンチ１０を互いに逆向きの搬送方向（横方向）に搬送するように構成されている。一対の案内装置２０Ａ，２０Ｂは、左右方向（横方向）に間隔を開けた状態で平行状に並べられていて、それぞれ栽培ベンチ１０を互いに逆向きの方向（縦方向）に案内するように構成されている。
【００２４】
手前側搬送コンベヤ４０Ａの左半部は送り側案内装置２０Ａの手前側に位置し、手前側搬送コンベヤ４０Ａの右半部は戻り側案内装置２０Ｂの手前側に位置している。奥側搬送コンベヤ４０Ｂの左半部は送り側案内装置２０Ａの奥側に位置し、奥側搬送コンベヤ４０Ｂの右半部は戻り側案内装置２０Ｂの奥側に位置している。各搬送コンベヤ４０Ａ，４０Ｂはいずれも、各案内装置２０Ａ，２０Ｂとの間で栽培ベンチ１０を授受可能に構成されている。各栽培ベンチ１０は、手前側搬送コンベヤ４０Ａ→送り側案内装置２０Ａ→奥側搬送コンベヤ４０Ｂ→戻り側案内装置２０Ｂ→手前側搬送コンベヤ４０Ａの順に、図１の平面視時計回りに循環搬送される。なお、循環搬送方向は図１の平面視反時計回りにしてもよいことは言うまでもない。
【００２５】
各搬送コンベヤ４０Ａ，４０Ｂの基本的な構造は同じである。各搬送コンベヤ４０Ａ，４０Ｂは、複数本の脚支柱４８にて支持される左右横長の二本のコンベヤフレーム４７を備えている。両コンベヤフレーム４７の左右両端部の間に、左右一対のスプロケット４２，４３が回転可能に軸支されている。両コンベヤフレーム４７の間には、駆動及び従動スプロケット４２，４３を介して２本の略平行なコンベヤチェン４１が張設されている。コンベヤチェン４１は駆動及び従動スプロケット４２，４３に掛け回されている。チェン及びスプロケット伝動系を介して、駆動スプロケット４２の駆動軸に電動モータ４５を連結させ、当該電動モータ４５によって２本の略平行なコンベヤチェン４１を同期させて同一方向に回動させるように構成されている。
【００２６】
両コンベヤチェン４１には、各案内装置２０Ａ，２０Ｂから受け渡された栽培ベンチ１０の車輪１３を載せる載置板４６が適宜間隔を開けて取り付けられている。栽培ベンチ１０の各車輪１３が対応する載置板４６に載った状態で、電動モータ４５にて一対のコンベヤチェン４１を回転駆動させることにより、各搬送コンベヤ４０Ａ，４０Ｂが栽培ベンチ１０を横方向に搬送する。
【００２７】
実施形態では、手前側搬送コンベヤ４０Ａの手前側スペース（特に戻り側案内装置２０Ｂ寄りの手前側スペース）が、作業者の作業スペースとして設定される。作業者は、作業スペースにおいて種々の作業（例えば収穫作業、草取り作業、剪定作業及びプランタ２交換作業等）を行える。また、実施形態では、移動栽培装置１において作業スペースから最も離れた位置、すなわち、奥側搬送コンベヤ４０Ｂ側に、灌水装置３１及び防除装置３２（薬液噴霧装置）が配置されている。灌水装置３１は、奥側搬送コンベヤ４０Ｂにて横方向搬送される栽培ベンチ１０に向けて水を散布するものである。実施形態の灌水装置３１は奥側搬送コンベヤ４０Ｂの長手中途部に設けられている。防除装置３２は、奥側搬送コンベヤ４０Ｂにて横方向搬送される栽培ベンチ１０に向けて防除剤や薬液を散布するものである。実施形態の防除装置３２は灌水装置３１と同様に、奥側搬送コンベヤ４０Ｂの長手中途部に配置されている。従って、作業スペースに居る作業者に防除剤や薬液が付着するおそれを確実に防止できる点で優れている。
【００２８】
一方、各案内装置２０Ａ，２０Ｂの基本的な構造は同じである。各案内装置２０Ａ，２０Ｂは、多数の支柱や横フレームによってその骨組を構成していて、栽培ベンチ１０の車輪１３が走行する複数本の案内レール３５（実施形態では四本）を備えている。案内レール３５群は、左右方向（横方向）に間隔を空けて並べられ、多数の支柱や横フレームからなる骨組にて支持されている。各案内レール３５は前後方向（縦方向）に長い金属板を折り曲げ、縦方向から見て概ね上方に開口するＶ字形状に形成されている。このような断面Ｖ字状の案内レール３５によって、車輪１３を脱輪させることなく、複数の栽培ベンチ１０を各搬送コンベヤ４０Ａ，４０Ｂまで容易に案内できる。
【００２９】
各搬送コンベヤ４０Ａ，４０Ｂの搬送下流側には、当該箇所にある栽培ベンチ１０をこれに対峙する案内装置２０Ａ，２０Ｂに向けて縦方向に搬送する手段として、押し出し装置２１Ａ，２１Ｂが設けられている。実施形態の各押し出し装置２１Ａ，２１Ｂは、電磁ソレノイドやエアシリンダ等の直動アクチュエータであって多段に伸縮動するように構成されている。各押し出し装置２１Ａ，２１Ｂを構成するピストンロッドの先端側には、栽培ベンチ１０に当接する横長の当接バー２２が連結されている。
【００３０】
押し出し装置２１Ａ（２１Ｂ）が多段伸長して、当接バー２２が一方の搬送コンベヤ４０Ａ（４０Ｂ）の搬送下流側にある栽培ベンチ１０の手前側面（奥側面）に当接し案内装置２０Ａ（２０Ｂ）に向けて押し出すことによって、案内装置２０Ａ（２０Ｂ）上にある複数の栽培ベンチ１０が次々と玉突き状に追突して、案内装置２０Ａ（２０Ｂ）の最下流側にある栽培ベンチ１０が他方の搬送コンベヤ４０Ｂ（４０Ａ）の搬送上流側に押し出されることになる（図６〜図９参照）。
【００３１】
実施形態では、隣り合う栽培ベンチ１０が玉突き状に搬送される際、送り側案内装置２０Ａ上では、搬送上流側の栽培ベンチ１０の奥側面が搬送下流側の栽培ベンチ１０の両規制アーム１５に当接する。戻り側案内装置２０Ｂ上では、搬送上流側の栽培ベンチ１０の両規制アーム１５が搬送下流側の栽培ベンチ１０の奥側面に当接する。なお、各搬送コンベヤ４０Ａ，４０Ｂの搬送上流側には、各案内装置２０Ａ，２０Ｂの最下流側から各搬送コンベヤ４０Ａ，４０Ｂに受け渡される栽培ベンチ１０の縦方向搬送を規制するストッパー２３が固定されている。
【００３２】
上記の説明並びに図６〜図９から明らかなように、実施形態の移動栽培装置１によると、搬送方向を互いに逆向きにして平行状に並ぶ一対の搬送コンベヤ４０Ａ，４０Ｂと、前記一方の搬送コンベヤ４０Ａ（４０Ｂ）の搬送下流側と前記他方の搬送コンベヤ４０Ｂ（４０Ａ）の搬送上流側とをつなぐ一対の案内装置２０Ａ，２０Ｂと、前記各栽培ベンチ１０を前記各案内装置２０Ａ，２０Ｂ上で摺動させる摺動体１３と、前記各搬送コンベヤ４０Ａ，４０Ｂの搬送下流側からこれに対峙する前記案内装置２０Ａ，２０Ｂに向けて前記栽培ベンチ１０を押し出し移動させる一対の押し出し装置２１Ａ，２１Ｂとを備えており、前記各押し出し装置２１Ａ，２１Ｂによる前記栽培ベンチ１０の押し出し移動に伴い、前記各案内装置２０Ａ，２０Ｂ上にある複数の前記栽培ベンチ１０を玉突き状に搬送するから、前記複数の栽培ベンチ１０を前記各案内装置２０Ａ，２０Ｂ上で縦方向搬送するのに必要な駆動機構が前記押し出し装置２１Ａ，２１Ｂだけで済み、極めて簡単な構造で確実に前記複数の栽培ベンチ１０を循環搬送できる。前記特許文献１の移動栽培装置のように、前記案内装置２０Ａ，２０Ｂ毎に櫛状ロッド、移動用アクチュエータ及び回転用アクチュエータを設ける必要がなくなるから、大幅なコスト抑制が図れる。
【００３３】
また実施形態によると、前記各押し出し装置２１Ａ，２１Ｂは前記各搬送コンベヤ４０Ａ，４０Ｂの搬送下流側に配置されているから、例えば電気や油圧といった駆動力を必要とする構造が前記各搬送コンベヤ４０Ａ，４０Ｂ側にまとまることになり、前記各案内装置２０Ａ，２０Ｂ側には電気配線や油圧配管等が不要になる。この点でもコスト抑制に貢献できる。
【００３４】
更に実施形態によると、前記各栽培ベンチ１０は前記各案内装置２０Ａ，２０Ｂの長手方向に延びる当接体１５を有しており、前記当接体１５が隣の前記栽培ベンチ１０に当接する状態で、隣り合う前記栽培ベンチ１０の間に前記各案内装置２０Ａ，２０Ｂの長手方向に沿って適宜間隔が開くように構成されているから、前記各栽培ベンチ１０で栽培される果菜等の花梗や果実を、隣り合う前記栽培ベンチ１０の衝突によって傷付けるおそれがないのである。
【００３５】
次に、図１０〜図１２を参照しながら、一方の搬送コンベヤ４０Ａ（４０Ｂ）から他方の搬送コンベヤ４０Ｂ（４０Ａ）に向けて各案内装置２０Ａ，２０Ｂを傾斜させる構造について説明する。なお、図１０及び図１１では、説明の便宜上、後述するストッパー部材６２の図示を省略している。図１０及び図１１に示すように、各案内装置２０Ａ，２０Ｂは、少なくともその長手方向一端側を支点にして昇降回動可能に構成している。
【００３６】
実施形態の移動栽培装置１は、両案内装置２０Ａ，２０Ｂが概ね南北に延びるように設置されている。すなわち、両案内装置２０Ａ，２０Ｂの長手方向は概ね南北方向に沿っている。このため、両搬送コンベヤ４０Ａ，４０Ｂの長手方向が概ね東西方向に沿っていることは言うまでもない。各案内装置２０Ａ，２０Ｂが長手方向一端側だけを支点にして昇降回動する構造であれば、両案内装置２０Ａ，２０Ｂの長手方向他端側は北側に位置させる。そして、両案内装置２０Ａ，２０Ｂの長手方向他端側に、後述する昇降機構としてのジャッキ部材５７を配置することになる。
【００３７】
実施形態の各案内装置２０Ａ，２０Ｂは、長手方向一端側だけでなく他端側も支点にして昇降回動可能な構成になっていて、いずれも基本的に同じ構成である。そこで、第１案内装置２０Ａの長手方向一端側（搬送上流側、手前側搬送コンベヤ４０Ａ寄りと言ってもよい）の構造を例にして、以下に説明する。
【００３８】
第１案内装置２０Ａ寄りにある脚支柱４８の上端側に、上向き開口断面コ字状の溝形受け台５１を設けている。第１案内装置２０Ａの各案内レール３５の長手方向一端側をこれに対応する溝形受け台５１内に載せている。溝形受け台５１の左右両側板と案内レール３５の長手方向一端側とには、左右方向（横方向）に延びる頭付きの支点ピン軸５２を貫通させている。支点ピン軸５２のうち溝形受け台５１を貫通した突端部には抜け止め用の止めピン５３を装着している。溝形受け台５１と案内レール３５の長手方向一端側とを連結する複数本（実施形態では四本）の支点ピン軸５２の軸心は、いずれも同一軸線上に位置している。全ての案内レール３５の長手方向一端寄りの部位は、横方向に延びる上流連結フレーム５４に固定している。全ての案内レール３５の長手方向他端寄りの部位は、横方向に延びる下流連結フレーム５４に固定している。従って、連結フレーム５４自体は、第１案内装置２０Ａにおいて二本存在することになる。
【００３９】
従って、例えば第１案内装置２０Ａの各案内レール３５の長手方向他端側において、各止めピン５３を外してから各支点ピン軸５２を引き抜くと、各溝形受け台５１に載せた案内レール３５の長手方向他端側が自由端になる。その結果、案内レール３５群は、長手方向一端側の各支点ピン軸５２を支点にして、下流連結フレーム５４ごと一体的に昇降回動可能な状態になる。言うまでもないが、第１案内装置２０Ａの各案内レール３５の長手方向一端側において、各止めピン５３を外してから各支点ピン軸５２を引き抜くと、各溝形受け台５１に載せた案内レール３５の長手方向一端側が自由端になり、案内レール３５群は、長手方向他端側の各支点ピン軸５２を支点にして、上流連結フレーム５４ごと一体的に昇降回動可能な状態になる。
【００４０】
図１０に示すように、第１案内装置２０Ａの骨組である一対の横フレーム５５の搬送上流側には、平面視で上流連結フレーム５４と重なる位置に、横方向に延びる上流梁フレーム５６をボルト締結している。上流連結フレーム５４と上流梁フレーム５６との間には、昇降機構としてのジャッキ部材５７を設けている。言うまでもないが、一対の横フレーム５５の搬送下流側にも、平面視で下流連結フレーム５４と重なる位置に、横方向に延びる下流梁フレーム５６をボルト締結していて、下流連結フレーム５４と下流梁フレーム５６との間にも、昇降機構としてのジャッキ部材５７を設けている。
【００４１】
昇降機構としてのジャッキ部材５７は、パンタグラフ形リンク５８と、手動ハンドル５９付きねじ軸６０とを備えている。実施形態では、上流連結フレーム５４と上流梁フレーム５６とに、各支点ピン軸５２の軸心と平行な上下支軸６１を介して、パンタグラフ形リンク５８の上下端側を回動可能に連結している。
【００４２】
例えば第１案内装置２０Ａの各案内レール３５の長手方向他端側において、各止めピン５３を外してから各支点ピン軸５２を引き抜き、各溝形受け台５１に載せた案内レール３５の長手方向他端側を自由端にした後、案内レール３５群の長手方向一端側（第１案内装置２０Ａの搬送上流側）にあるジャッキ部材５７の手動ハンドル５９でねじ軸６０を回転操作して、パンタグラフ形リンク５８を屈伸動させることによって、案内レール３５群は、長手方向一端側の各支点ピン軸５２を支点にして、下流連結フレーム５４ごと一体的に昇降回動する。
【００４３】
もちろん、第１案内装置２０Ａの各案内レール３５の長手方向一端側において、各止めピン５３を外してから各支点ピン軸５２を引き抜き、各溝形受け台５１に載せた案内レール３５の長手方向一端側を自由端にした後、案内レール３５群の長手方向他端側（第１案内装置２０Ａの搬送下流側）にあるジャッキ部材５７の手動ハンドル５９でねじ軸６０を回転操作して、パンタグラフ形リンク５８を屈伸動させることによって、案内レール３５群は、長手方向他端側の各支点ピン軸５２を支点にして、上流連結フレーム５４ごと一体的に昇降回動する。
【００４４】
従って、ジャッキ部材５７によって、一方の搬送コンベヤ４０Ａ（４０Ｂ）から他方の搬送コンベヤ４０Ｂ（４０Ａ）に向けて各案内装置２０Ａ，２０Ｂを傾斜させる操作を簡単に実行できる。ジャッキ部材５７によって、各案内装置２０Ａ，２０Ｂを任意の傾斜姿勢で安定的に支持できる。なお、昇降機構（ジャッキ部材５７）は手動で昇降操作（屈伸操作）するものに限らず、アクチュエータを用いて自動的に昇降動するものであっても構わない。
【００４５】
図１２に示すように、各案内装置２０Ａ，２０Ｂの少なくとも長手方向一端側には、各案内装置２０Ａ，２０Ｂを傾斜させた状態で、栽培ベンチ１０の移動を規制するストッパー部材６２を設けている。実施形態では、各案内装置２０Ａ，２０Ｂの長手方向一端側と長手方向他端側との計四つの領域にストッパー部材６２を配置している。これらストッパー部材６２はいずれも基本的に同じ構成であるので、第１案内装置２０Ａの長手方向一端側（搬送上流側、手前側搬送コンベヤ４０Ａ寄りと言ってもよい）の構造を例にして、以下に説明する。
【００４６】
第１案内装置２０Ａにおける各案内レール３５の長手方向一端側には、溝形受け台５１寄りの部位に、案内レール３５にそって延びる回動支軸６３を介して、略Ｌ字状のストッパー部材６２を回動可能に装着している。ストッパー部材６２は、規制姿勢時に案内レール３５の上面側に載る回動板６４と、規制姿勢（図１２の実線状態参照）時に回動板６４から上向きに突出する阻止ブロック６５とを備えている。実施形態では、各案内レール３５の一側面に平面視コ字状の受けブラケット６６の基板部を固着している。そして、受けブラケット６６の前後両側板部に装架した回動支軸６３に、回動板６４を上下回動可能に軸支している。従って、ストッパー部材６２は、回動支軸回りの回動によって、案内レール３５の上面側に載る規制姿勢と、案内レール３５の上面側から離れる退避姿勢（図１２の二点鎖線状態参照）とに姿勢変更可能になっている。
【００４７】
ストッパー部材６２を規制姿勢にすると、案内レール３５上で阻止ブロック６５が直立した状態になり、例えば第１案内装置２０Ａを手前側搬送コンベヤ４０Ａに向けて斜め下向きに傾斜させた場合は、手前側搬送コンベヤ４０Ａに最も近い栽培ベンチ１０の各車輪１３と、これに対応した阻止ブロック６５とが当接して、手前側搬送コンベヤ４０Ａに最も近い栽培ベンチ１０が手前側搬送コンベヤに向けて移動するのを阻止する。その結果、第１案内装置２０Ａ上に載置した栽培ベンチ１０群が第１案内装置２０Ａの傾斜のために勝手に移動するのを防止でき、第１案内装置２０Ａ上に栽培ベンチ１０を安定的に保持できる。ストッパー部材６２を退避姿勢にすると、回動板６４及び阻止ブロック６５は案内レールから大きく離れた位置にセットされ、各栽培ベンチ１０の車輪１３が案内レール３５上を通過するのを邪魔しない（許容する）。
【００４８】
上記の説明並びに図１０〜図１２から明らかなように、実施形態の移動栽培装置１によると、搬送方向を互いに逆向きにして平行状に並ぶ一対の搬送コンベヤ４０Ａ，４０Ｂと、前記両搬送コンベヤ４０Ａ，４０Ｂ間をつなぐ一対の案内装置２０Ａ，２０Ｂとによって閉ループを形成し、前記閉ループ内で複数の栽培ベンチ１０を循環搬送させる移動栽培装置１において、前記各案内装置２０Ａ，２０Ｂは、一方の前記搬送コンベヤ４０Ａ（４０Ｂ）から他方の前記搬送コンベヤ４０Ｂ（４０Ａ）に向けて傾斜するように、前記各案内装置２０Ａ，２０Ｂの長手方向一端側を支点にして昇降回動可能に構成し、前記各案内装置２０Ａ，２０Ｂの長手方向他端側を昇降動させる昇降機構５７を更に備えているから、成長して株自体が大きくなり葉が生い茂ったとしても、日当たりを考慮して、前記昇降機構５７によって前記各案内装置２０Ａ，２０Ｂの長手方向他端側を上昇させ、前記一方の搬送コンベヤ４０Ａ（４０Ｂ）から前記他方の搬送コンベヤ４０Ｂ（４０Ａ）に向けて前記各案内装置２０Ａ，２０Ｂを傾斜させることが可能になる。このため、一日のうち数時間は栽培中の果実に対する良好な日当たりを確保して、日照不足による果実の肥大速度低下や着色遅れといった問題を抑制できる。
【００４９】
また、前記各案内装置２０Ａ，２０Ｂの長手方向一端側には、前記各案内装置２０Ａ，２０Ｂを傾斜させた状態で前記栽培ベンチ１０の移動を規制するストッパー部材６２を設けているから、前記ストッパー部材６２の存在によって、前記各案内装置２０Ａ，２０Ｂ上に載置した前記栽培ベンチ１０群が前記各案内装置２０Ａ，２０Ｂの傾斜のために勝手に移動するのを防止でき、前記各案内装置２０Ａ，２０Ｂ上に前記栽培ベンチ１０群を安定的に保持できる。
【００５０】
更に、前記両案内装置２０Ａ，２０Ｂが概ね南北に延びるように設置し、前記両案内装置２０Ａ，２０Ｂの長手方向他端側を北側に位置させているから、北側に位置する前記各案内装置２０Ａ，２０Ｂの長手方向他端側を前記昇降機構５７によって上昇させ、一日のうち数時間は移動栽培装置１全体において栽培中の果実に対する良好な日当たりを最大限確保できる。従って、日照不足による果実の肥大速度低下や着色遅れといった問題をより確実に回避できる。
【００５１】
本願発明は、前述の実施形態に限らず、様々な態様に具体化できる。その他各部の構成は図示の実施形態に限定されるものではなく、本願発明の趣旨を逸脱しない範囲で種々変更が可能である。なお、本明細書中で用いた「果菜等」の文言は、イチゴ等の果菜類やホウレンソウ等の葉菜類などを広く含めた概念として使用している。
【符号の説明】
【００５２】
１  移動栽培装置
１０  栽培ベンチ
１３  車輪（摺動体）
２０Ａ，２０Ｂ  案内装置
４０Ａ，４０Ｂ  搬送コンベヤ
５１  溝形受け台
５２  支点ピン軸
５７  ジャッキ部材
５８  パンタグラフ形リンク
５９  手動ハンドル
６０  ねじ軸
６２  ストッパー部材
【図１】
2015084681.tif 000003
【図２】
2015084681.tif 000004
【図３】
2015084681.tif 000005
【図４】
2015084681.tif 000006
【図５】
2015084681.tif 000007
【図６】
2015084681.tif 000008
【図７】
2015084681.tif 000009
【図８】
2015084681.tif 000010
【図９】
2015084681.tif 000011
【図１０】
2015084681.tif 000012
【図１１】
2015084681.tif 000013
【図１２】
2015084681.tif 000014